(57)【特許請求の範囲】
【請求項１】
多角形によりオブジェクトを構成して立体画像を生成する画像生成装置において、
複数の該多角形の配置が相対的に規定されたオブジェクトを構成する各該多角形の頂点の各々に、頂点属性を設定する頂点属性設定手段と、
該オブジェクトを仮想三次元空間に配置した画像を生成するオブジェクト画像生成手段と、
各該頂点に設定された該頂点属性に基づいて明度相対値を演算する頂点明度演算手段と、
演算された該明度相対値に基づいて対応する該頂点の位置に光演出パターンを配置する光演出パターン配置手段と、
を備えたことを特徴とする画像生成装置。
【請求項２】
前記光演出パターン配置手段は、
前記明度相対値の大きさに対応させて前記頂点の位置に配置する前記光演出パターンの態様を変更する、
請求項１に記載の画像生成装置。
【請求項３】
前記多角形の単位または前記オブジェクトの単位で、前記光演出パターンの適用を許可するか否かを規定する演出適用フラグを設定する演出適用フラグ設定手段を備え、
該演出適用フラグが設定されている前記多角形または前記オブジェクトに対して前記光演出パターンを適用させる、
請求項１に記載の画像生成装置。
【請求項４】
前記演出適用フラグ設定手段は、
所定のタイミングで前記演出適用フラグの状態を変更する、
請求項３に記載の画像生成装置。
【請求項５】
前記頂点に設定される前記頂点属性は、仮想三次元空間に設定された光に基づいて設定される、請求項１に記載の画像生成装置。
【請求項６】
請求項１乃至５のいずれか一項に記載の画像生成装置を備えたことを特徴とする遊技機。
【請求項７】
コンピュータに、
複数の該多角形の配置が相対的に規定されたオブジェクトを構成する各該多角形の頂点の各々に、頂点属性を設定する機能と、
該オブジェクトを仮想三次元空間に配置した画像を生成する機能と、
各該頂点に設定された該頂点属性に基づいて明度相対値を演算する機能と、
演算された該明度相対値に基づいて対応する該頂点の位置に光演出パターンを配置する機能と、
を実行させるための画像生成プログラム。
【請求項８】
請求項７に記載の画像生成プログラムが記録された、機械読み取り可能な記録媒体。
【発明の詳細な説明】
【技術分野】
【０００１】
本発明は、ミラーボールのきらめきのような表現を表示可能な画像生成装置に関する。
【背景技術】
【０００２】
従来、コンピュータグラフィックス技術の分野において、表示画像内で物体がきらめいているような表現を実現したものがあった。例えば、特開平１０−５１６３０号公報では、元画像となる画像データを所定単位ごとに順次解析してその輝度を算出し、算出された輝度が所定輝度であるか否かを判別し、所定輝度であることが判別された画像部分に、当該画像部分から放射状に延びる輝きパターンを付加するようにして輝きを表現するようにしていた（特許文献１）。
【０００３】
また、特開２０００−１９７７６６号公報では、水面のきらめきを表現するために、ドットごとに反射演算処理を許可するか否かの反射許可フラグを設定し、反射許可フラグがオンになっているドットに対しては、反射演算処理を行って、光源からの光の反射の表現が必要な領域（例えば水面）においてのみ反射演算処理を行うように処理していた。
【０００４】
特許文献１の技術は、元画像が所定輝度以上である場合に輝きパターンが付与されるものであり、特許文献２の技術は、光源からの反射演算を選択的に実施することで、水面のきらめきを表現するものであった。
【特許文献１】特開平１０−５１６３０号公報（段落0004）
【特許文献２】特開２０００−１９７７６６号公報（段落0009〜0011）
【発明の開示】
【発明が解決しようとする課題】
【０００５】
しかしながら、特許文献に開示されたような従来技術では、いずれもが仮想三次元空間における光が実際に強く照射されているサーフェスが存在することを前提としていたため、暗いホールできらめくミラーボールを表現するのには適していなかった。
【０００６】
具体的には、ミラーボールや宝石に代表されるような多角形物体の画像を表示する場合、このような多角形物体は面積の存在しないエッジや頂点部分が光輝くものであってその周辺の面が輝くもの（輝度が高い）とは限らない。一定以上の面積で明るく輝くサーフェスが存在しない場合には、上記従来技術を適用することができないのである。
【０００７】
また、このような多角形物体の場合には、画像デザインの過程で、予め輝きパターンをエッジや頂点に配置しておくことは考えられる。しかし、多数のエッジや頂点の一つひとつに輝度パターンを配置したのでは、画像デザインに対する労力が膨大である。また、ゲーム装置など、遊技者の操作に応じて金属製の多角形物体が移動する装置では、輝きパターンを付与する場所が定められないのであるから、操作状態に応じた自然な輝きパターンを予め付与することは不可能であり、操作状態に応じた自然なきらめきを表現させることができなかった。
【０００８】
そこで、本発明は、輝度の高い面が存在しない場合でも、自然な輝きを表現可能な画像生成装置を提供することを目的とする。
【課題を解決するための手段】
【０００９】
上記目的を達成するために、本発明の画像生成装置は、多角形によりオブジェクトを構成して立体画像を生成する画像生成装置において、複数の該多角形の配置が相対的に規定されたオブジェクトを仮想三次元空間に配置した画像を生成するオブジェクト画像生成手段と、オブジェクトを構成する各多角形の頂点の各々に、頂点属性を設定する頂点属性設定手段と、各頂点に設定された頂点属性に基づいて明度相対値を演算する頂点明度演算手段と、演算された明度相対値に基づいて対応する頂点の位置に光演出パターンを配置する光演出パターン配置手段と、を備えたことを特徴とする。
【００１０】
また本発明の画像生成プログラムは、コンピュータに、複数の該多角形の配置が相対的に規定されたオブジェクトを仮想三次元空間に配置した画像を生成する機能と、オブジェクトを構成する各多角形の頂点の各々に、頂点属性を設定する機能と、各頂点に設定された頂点属性に基づいて明度相対値を演算する機能と、演算された明度相対値に基づいて対応する頂点の位置に光演出パターンを配置する機能と、を実行させるものである。
【００１１】
本発明によれば、オブジェクトを構成する多角形の各々の頂点には頂点属性が設定される。少なくともこの頂点属性には、その位置の明るさに対応した明度相対値が含まれる。頂点ごとに、この明度相対値が参照され、明度相対値に基づいて、光演出パターンをその頂点に付与するか否かが決定される。例えば、明度相対値が所定の基準明度よりも高ければ光演出パターンを付与するように制御される。このような処理によれば、ある多角形が明るく描画されないものであっても、その多角形を定義するいずれかの頂点の明度相対値が高ければ、その頂点に光演出パターンを表示することが可能である。よって、多角形が光源側に向いていないとか、透明なサーフェスであるとかの配置であっても、光演出パターンが表現できるので、例えば、暗いホールで回転するミラーボールや、透明な宝石を表現するオブジェクトであっても、リアリティ溢れる光の煌めきを表現することが可能となる。
【００１２】
ここで「明度相対値」とは、例えば、ベクトル演算によって導くことが可能なスカラー量であり、色の三要素である、輝度、色相、彩度のうち、例えば輝度に対応するものである。ただし、光の強さに対応していればよく、頂点に表現したい光演出パターンによって内容を変更可能である。
【００１３】
また、「光演出パターン」とは、反射等による光の煌めきや輝きを表現可能な画像情報をいい、目的とする表現形式によって任意に選択可能なものである。例えば、「光演出パターン」として光学フィルタを介してビデオ・写真撮影した場合に得られるクロスパターンや、煙・水蒸気の中で高輝度部分を撮影した場合に得られる光球のようなものが考えられる。
【００１４】
本発明において、明度相対値の大きさに対応させて頂点の位置に配置する光演出パターンの態様を変更することは好ましい。実際の光学フィルタによる撮影でも、光が強いほど、クロスの大きさが大きくなるので、明度相対値の大きさに対応させて光演出パターンの大きさを変更するように構成すれば、さらにリアリティ溢れる光の煌めきを表現可能である。
【００１５】
また本発明において、多角形の単位またはオブジェクトの単位で、光演出パターンの適用を許可するか否かを規定する演出適用フラグを設定する演出適用フラグ設定手段を備え、演出適用フラグが設定されている多角形またはオブジェクトに対して光演出パターンを適用させるように構成することは好ましい。
【００１６】
この処理によれば、仮想三次元空間に複数のオブジェクトが配置される場合にも、選択的に本発明の光演出パターンを適用するオブジェクトを特定することができる。例えば、ダンスホールの様子を表現するためのオブジェクト配置において、「ミラーボール」を表現するオブジェクトに対し演出適用フラグをオンにし、他のステージやキャラクタ等のオブジェクトの演出適用フラグをオフにすることで、「ミラーボール」にだけ光の煌めきを表現することができる。この処理によれば、演出適用フラグを設定したオブジェクト、多角形、または頂点に対してのみ本発明の光演出パターン適用処理が実行されるので、装置の処理負荷を必要最小限に抑えることが可能である。
【００１７】
また、一つのオブジェクトにおいてもそのオブジェクトを構成する多角形ごとにまたは頂点ごとに演出適用フラグのオンオフを制御することにより、多角形単位でまたは頂点単位で光の煌めき表示を制御することができる。例えば、「ダイヤモンドリング」などが一つのオブジェクトで構成されている場合に、「ダイヤモンド」に相当する部分の構成ポリゴンや頂点の演出適用フラグをオンに設定し、残りのものをオフに設定するような場合である。
【００１８】
また本発明において、所定のタイミングで演出適用フラグの状態を変更するように制御してもよい。現実の「ミラーボール」等では、カメラに対して全反射する面が微小であるため、その動きが少ない場合でも、光の煌めきが、光ったり光らなかったりする、瞬くように観察される。本発明の処理によれば、演出適用フラグの状態が任意に変更、すなわちオンにされたりオフにされたりの状態が変動し、それに応じて光演出パターンが適用されたり適用されなかったりするので、瞬くような光の煌めきの表現が可能となる。
【００１９】
例えば、頂点に設定される頂点属性は、仮想三次元空間に設定された光に基づいて設定されることが好ましい。このように処理すれば、仮想三次元空間における光の設定状態（例えば、環境光、平行光源、点光源）に応じて、頂点の明度相対値が決定され、更新されるので、現実の世界で生じる光の反射の様子に近似した光の煌めきを表現可能である。ただし、頂点属性は、オブジェクトや頂点に対して固定的に設定することもできる。例えば常に光の煌めきを表示しておきたい頂点に対しては、明度相対値を基準明度より大きい値に固定しておけばよい。
【００２０】
本発明は、上記本発明の画像生成装置を備えた遊技機でもある。
ここで「遊技機」に限定は無いが、例えば回動式遊技機（以下、「スロットマシン」という。）、ぱちんこ機（第一種ぱちんこ機、第二種ぱちんこ機を含む）等を含む。
【００２１】
また本発明の画像生成プログラムは、記憶媒体に格納されて流通されるものである。このような記憶媒体としては、コンピュータに読み取り可能な媒体であり、各種ＲＯＭ、フラッシュメモリを備えたＵＳＢメモリ、ＵＳＢメモリ、ＳＤメモリ、メモリスティック、メモリカードや、ＦＤ、ＣＤ−ＲＯＭ、ＤＶＤ−ＲＯＭ等の物理的な記憶媒体を含む。また広義の記録媒体として、プログラムを伝送可能なインターネット等の伝送媒体をも含むものとする。伝送媒体を通して伝送されたプログラム（ダウンロード）されたプログラムは、そのままメモリに記憶されて、コンピュータに実行されるものだからである。
【発明の効果】
【００２２】
本発明によれば、各頂点に頂点属性が設定され、頂点属性に含まれる明度相対値に基づいてその頂点の位置に光演出パターンが配置されるので、画像表示されるサーフェスそのものの輝度が高くなくても、リアリティ溢れる光の煌めきを表現することが可能である。
【発明を実施するための最良の形態】
【００２３】
以下、本発明の好適な実施形態として、遊技場等に設置される遊技機（スロットマシン）に、本発明の画像生成装置（方法）を適用したものを例示する。以下の実施形態は本発明の適応例に過ぎず、本発明は実施形態に限定されず種々に変更して適用することが可能である。
（定義）
本明細書における用語を以下のように定義する。
「遊技」とは、メダルが投入されてから、スタートスイッチの操作によってリールが回転し、ストップスイッチの操作によってリールが停止するまでの一連の動作をいう。
「通常遊技」とは、所定の期待値に基づいて実行される「遊技」をいう。
「特別遊技」とは、「通常遊技」とは異なる「遊技」であって遊技者に有利な「遊技」をいう。
【００２４】
「抽選」とは、遊技機の操作部（スイッチ等）が操作されたことを契機として、乱数等を用いて、予め定められた期待値でコンピュータがくじを引く処理をいう。
「当選」とは、「抽選」の結果、当たりになった場合をいい、特に、コンピュータによるくじ引きで当たりとなった場合をいう。本実施形態では機械的に定まる「入賞」と区別して用いる。
「入賞」とは、停止したリールにより示される有効ライン上の図柄の組合せが、特定の役を示す状態となっていることをいう。
【００２５】
「役」とは、抽選の結果が当選である場合に、その当選の種類を特定するものである。「当選役」または図柄が揃った場合には「入賞役」ともいう。
「特別役」とは、「特別遊技」に移行させるための役である。
「小役」とは、その小役の種類に応じた枚数のメダルを遊技者に払い出すための役である。
【００２６】
「リプレイ」とは、前回の遊技で投入されたメダル枚数を維持したまま再遊技を行う権利を与えるための役である。
「有効ライン」とは、停止した図柄の並びを便宜上示すもので、有効ライン上に並んだ図柄の組合せによって特定の「役」であるか「ハズレ」であるかを示すものである。複数の「有効ライン」が設定されている場合には、それらをまとめて「有効ライン群」という。
【００２７】
（実施形態１）
本発明の実施形態１は、本発明の基本構成に係る画像生成装置を備えた遊技機に関する。
まず筐体構成から説明する。図１は、本発明の実施形態に係るスロットマシンの外観を示す正面図である。
図１に示すように、本実施形態に係るスロットマシン１０の筐体の前面部は、開閉自在にフロントパネル２０が取り付けられている。フロントパネル２０の上部に表示機能を有する演出表示装置４０が設けられた表示領域となっており、中央部に操作部が設けられている。
【００２８】
筐体上部には、表示機能を有する演出表示装置４０が設けられている。演出表示装置４０は、例えば液晶パネルを含んで構成されており、種々の演出のための画像や遊技に必要な情報を表示領域に表示可能に構成されている。演出表示装置４０には、１つの透明な表示窓２１が設けられている。表示窓２１の領域には、画像を表示するための液晶や液晶を構成する部材（偏光板など）や液晶を制御する回路などが設けられておらず、光を透過するようになっており、物理的に画像表示できない領域となっている。
【００２９】
筐体内部であって表示窓２１を通して視認可能な位置には、３つのリール（回胴）が配置されている。正面から見て左側から、左リール３１Ｌ、中リール３１Ｃ、右リール３１Ｒの順番で配置されている。
【００３０】
リール３１Ｌ、３１Ｃ及び３１Ｒは、リング状の中空構造に成形されている。リールの外周は、外周面に貼られるリールテープの幅に成形されており、外周面にはリールテープ上に印刷される図柄の形状に合わせて開口が複数設けられている。リールの内部は中空になっており、外周面から延びるフレームで回転軸が支持されている。
【００３１】
リールの外周面には入賞図柄（入賞役を構成する図柄）を印刷したリールテープが各々貼られている。それぞれのリールテープには、例えば２１個の図柄が等間隔で配列されて印刷されている。図柄の配列は、リールテープごとに異なるようになっている。リールテープの図柄が、リールの外周面に設けられた開口に対応するようになっている。表示窓２１からは、この表示窓を通してリール３１Ｌ、３１Ｃ及び３１Ｒが観察されるようになっており、各リール外周面の上下方向で連続する３つの図柄が見えるように表示窓２１の大きさが設定されている。図１では、リール群３１（リール３１Ｌ、３１Ｃ及び３１Ｒのまとまりを意味する）上に示された円が、一つの図柄を示している。
【００３２】
リール３１Ｌ、３１Ｃ及び３１Ｒのそれぞれの回転軸には、ステッピングモータ（図示せず）が各々連結されている。このステッピングモータは、リール３１Ｌ、３１Ｃ及び３１Ｒを任意の速度で回転させたり、任意の角度（位置）で停止させたりすることが可能になっている。各リールが回転する場合には、リール３１Ｌ、３１Ｃ及び３１Ｒの図柄が表示窓２１内で上下に移動しているように視認されるようになっている。
【００３３】
リール３１Ｌ、３１Ｃ及び３１Ｒの内側には、バックランプ（図示せず）が設けられている。バックランプはリールごとに３個ずつ配置されており、リールが停止した時に表示窓２１から見える総計で９個の図柄に対して、リール外周面の開口を通して光を照射するようになっている。
【００３４】
図１に示す表示窓２１上の破線は、有効ライン２２ａ、２２ｂ及び２２ｃからなる有効ライン群２２を示すものである。有効ライン群２２は、水平方向の中段の有効ライン２２ａと、水平方向の上段及び下段の２本の有効ライン２２ｂと、右下がり及び左下がりの斜め方向の２本の有効ライン２２ｃとから構成されている。そして、リール３１Ｌ、３１Ｃ及び３１Ｒに付された図柄は、リール３１Ｌ、３１Ｃ及び３１Ｒが停止した時に、表示窓２１から見える９個の図柄が全てこれらの有効ライン群２２上に位置するような間隔で配置されている。
【００３５】
スロットマシン１０の筐体の中央部において、演出表示装置４０の右下側に当たる位置には、メダル投入口２３が設けられている。メダル投入口２３からメダルが投入されると、投入されたメダル枚数に応じて有効ライン２２ａ、２２ｂ及び２２ｃの１ライン乃至５ラインが有効になるように構成されている。すなわち、投入されたメダルはゲームの対価として徴収され、投入されたメダルが１枚の場合には１つの有効ライン２２ａが有効になり、２枚のときは水平方向の３つの有効ライン２２ａ及び２２ｂが有効になり、３枚のときはさらに加えて斜め方向の２つの有効ライン２２ｃを含む総計で５つの有効ライン２２ａ〜２２ｃが有効になる。これらの制御は、後述のメインＣＰＵ（中央演算装置）５１（図２参照）により行われる。例えば、３枚のメダルが投入されている場合には、リール３１Ｌ、３１Ｃ及び３１Ｒが停止した時に、少なくとも１つの有効ライン２２ａ〜２２ｃに特定の図柄の組み合わせが停止していれば、その組み合わせに応じた役に入賞したこととなる。
【００３６】
また筐体の中央部には、遊技者によって操作される各種の操作スイッチが設けられている。例えば、本実施形態では、スタートスイッチ４１、ストップスイッチ群４２及びベットスイッチ群４３が設けられている。
【００３７】
スタートスイッチ４１は、リール３１Ｌ、３１Ｃ及び３１Ｒの回転をスタートさせるときに遊技者が操作するスイッチ、例えばレバーとして構成されている。ストップスイッチ群４２は、左リール３１Ｌを停止させるときに操作する左ストップスイッチ４２Ｌと、中リール３１Ｃを停止させるときに操作する中ストップスイッチ４２Ｃと、右リール３１Ｒを停止させるときに操作する右ストップスイッチ４２Ｒとから構成されている。これらのストップスイッチ４２Ｌ、４２Ｃ及び４２Ｒは、例えばボタンとして並設されている。
【００３８】
ベットスイッチ群４３は、遊技者がクレジット内のメダルを投入する際にベット数（賭数）を指定するスイッチ群であり、１ベット・２ベットスイッチ４３ａ及びＭＡＸベットスイッチ（３ベットスイッチ）４３ｂから構成されている。これらのベットスイッチ４３ａ及び４３ｂも、例えばボタンとして配置されている。１ベット・２ベットスイッチ４３ａが操作されると、１枚又は２枚のメダルがベットされ（ゲームの対価として徴収され）、ＭＡＸベットスイッチ４３ｂが操作されると、最大ベット数である３枚のメダルがベットされる。すなわち、ベットスイッチ群４３の操作で指定されるベット数が、クレジットとなっているメダル数から徴収され、クレジットがベット数だけ減算される。
【００３９】
さらに、筐体の下部の中央部には、メダル払出口９０が設けられ、メダル払出口９０の両側には、スピーカ７１が設けられている。遊技（ゲーム）中には、種々の演出、例えばバックランプの点灯、演出表示装置４０を用いた画像表示及びスピーカ７１からの音声の出力等が行われる。さらに、このような演出として、入賞可能性の告知演出が行われることもある。
【００４０】
これらの構成を有するスロットマシンにおいて実施される通常遊技の概要を簡単に説明する。
スロットマシン１０において、遊技者がメダル投入口２３からメダルを投入するか、ベットスイッチ群４３を操作すると、有効ライン２２ａ〜２２ｃがベット数に応じて有効化される。
【００４１】
ベット数を指定した遊技者がスタートスイッチ４１を操作すると、ベット数に応じた役の抽選が行われると共に、リール３１Ｌ、３１Ｃ及び３１Ｒが回転し始める。そして、遊技者がストップスイッチ４２Ｌ、４２Ｃ及び４２Ｒを操作すると、操作されたボタンに応じてリール３１Ｌ、３１Ｃ及び３１Ｒの回転が停止する。このとき、スタートスイッチ４１の操作と同時に行われている役の抽選結果が当選であった場合には、有効化されている有効ライン群２２上に並ぶ図柄の組み合わせが、予め定められた何らかの役の図柄の組み合わせに一致するようにリールが停止制御され、その入賞役に応じたメダルの払い出し等が行われる。
【００４２】
（システム構成）
次に、スロットマシン１０の内部構成等のシステム構成について説明する。
図２は、本発明の実施形態に係るスロットマシン１０のシステム構成を示すブロック図である。スロットマシン１０の筐体内部には、メイン制御基板５０、並びにこのメイン制御基板５０に接続されたサブ制御基板６０、リール基板１１、中央表示基板１２及び電源装置基板１３が配置されている。
【００４３】
（メイン制御基板５０）
メイン制御基板５０には、メインＣＰＵ５１、ＲＯＭ５２、ＲＡＭ５３及びインタフェース回路（Ｉ／Ｆ回路）５４が設けられており、これらはバス５５を介して互いに接続されている。
【００４４】
メインＣＰＵ５１は、プログラムを構成する命令の読み出し（フェッチ）、解釈（デコード）及び実行を行う。そして、メインＣＰＵ５１は、ＲＯＭ５２に記憶されているプログラム及びデータ等を読み出し、これらに基づいてスロットマシン１０全体の制御を行う。
【００４５】
ＲＯＭ５２には、メインＣＰＵ５１に、後述の図６のフローチャートに示すような操作に基づく抽選処理及びその他の遊技の制御に必要なソフトウェアプログラム及びデータ等が記憶されている。また、ＲＡＭ５３は、メインＣＰＵ５１が各種の制御を行う時に用いられ、データ等を一時的に記憶可能に構成されている。
【００４６】
Ｉ／Ｆ回路５４は、メイン制御基板５０と、サブ制御基板６０、リール基板１１、中央表示基板１２及び電源装置基板１３との間で行われる信号の送受信の際に、タイミングの制御等を行うようになっている。但し、メイン制御基板５０とサブ制御基板６０との間では、メイン制御基板５０からサブ制御基板６０への信号の送信は行われるが、サブ制御基板６０からメイン制御基板５０への信号の送信は行われないように構成されている。
【００４７】
（サブ制御基板６０）
サブ制御基板６０には、サブＣＰＵ６１、ＲＯＭ６２、ＲＡＭ６３、画像制御プロセッサ６４、画像データＲＯＭ６５、ビデオＲＡＭ６６、音源回路６７、アンプ６８及びインタフェース回路（Ｉ／Ｆ回路）６９が設けられている。サブＣＰＵ６１、ＲＯＭ６２、制御用ＲＡＭ６３、画像制御プロセッサ６４、音源回路６７及びＩ／Ｆ回路６９はバス７０を介して互いに接続されている。また、画像データＲＯＭ６５及びビデオＲＡＭ６６は画像制御プロセッサ６４に接続され、アンプ６８は音源回路６７に接続されている。
【００４８】
サブＣＰＵ６１は、プログラムを構成する命令の読み出し（フェッチ）、解釈（デコード）及び実行を行う。そして、サブＣＰＵ６１は、ＲＯＭ６２に記憶されているプログラム及びデータ等を読み出し、サブ制御基板６０全体の制御、特に遊技者に対する演出の制御を行うようになっている。なお、サブＣＰＵ６１の処理能力や開発言語等には、何らの制約もない。
【００４９】
ＲＯＭ６２には、サブＣＰＵ６１に、後述のフローチャートに示すようなソフトウェアプログラム及びデータ等が記憶されている。また、ＲＡＭ６３は、サブＣＰＵ６１が各種の制御を行う時に用いられ、データ等を一時的に記憶可能に構成されている。
【００５０】
これらのサブＣＰＵ６１、ＲＯＭ６２及びＲＡＭ６３は、夫々メイン制御基板５０に設けられたメインＣＰＵ５１、ＲＯＭ５２及びＲＡＭ５３と同様の機能を有するものである。なお、ＲＯＭ６２及びＲＡＭ６３は、夫々ＲＯＭ５２及びＲＡＭ５３と同一のものを用いてもよいが、これらよりも容量の大きいものを用いてもよい。
【００５１】
画像データＲＯＭ６５には、演出表示装置４０に表示されるキャラクタ、文字及び背景等の画像データを生成するための元画像データが記憶されている。また、ビデオＲＡＭ６６は、画像制御プロセッサ６４が演出表示装置４０に表示しようとする画像データを生成する時に用いられ、画像データＲＯＭ６５から読み出した元画像データ等に基づき生成された画像データがフレーム画像データとしてビデオＲＡＭ６６に展開されるようになっている。演出表示装置４０は、ビデオＲＡＭ６６に記憶されたフレーム画像データを表示可能にサブ制御基板６０に接続されている。
【００５２】
サブ制御基板６０には、さらにスピーカ７１、上述のバックランプ等が設けられている。スピーカ７１はアンプ６８に接続されている。これらの演出用周辺機器は、遊技中の演出（役の当選可能性の告知演出等）の出力を行うものであり、サブ制御基板６０にのみ接続されており、メイン制御基板５０には接続されていない。
【００５３】
Ｉ／Ｆ回路６９は、メイン制御基板５０からの信号の受信の際に、タイミングの制御等を行う。なお、上述のように、メイン制御基板５０からサブ制御基板６０への信号の送信は行われるが、サブ制御基板６０からメイン制御基板５０への信号の送信は行われない。すなわち、一方向の送信のみが可能となっている。
【００５４】
（リール基板１１）
リール基板１１には、左リール３１Ｌ、中リール３１Ｃ及び右リール３１Ｒを駆動するためのステッピングモータ（図示せず）が接続されている。各ステッピングモータは、さらに、これらのリール３１Ｌ、３１Ｃ及び３１Ｒの回転軸に接続されていく。これらのリール３１Ｌ、３１Ｃ及び３１Ｒの動作を制御するための制御信号は、メインＣＰＵ５１からリール基板１１に供給されるようになっている。
【００５５】
（中央表示基板１２）
中央表示基板１２は、例えばフロントパネル２０の裏側の中央部に取り付けられる。
中央表示基板１２には、セレクタ８１、１ベット・２ベットスイッチ４３ａ、ＭＡＸベットスイッチ（３ベットスイッチ）４３ｂ、スタートスイッチ（レバー）４１、左ストップスイッチ（ボタン）４２Ｌ、中ストップスイッチ（ボタン）４２Ｃ、右ストップスイッチ（ボタン）４２Ｒ、設定表示部８２及び設定変更スイッチ８３が接続されている。
【００５６】
セレクタ８１は、メダル投入口２３から投入されたメダルが正規のものであるか識別し、不正なメダルを排除するように構成されている。設定表示部８２は、フロントパネル２０の裏側から見えるように配置されており、確率や払い出しに関する設定（例えば、設定１〜設定６）等が表示される。設定変更スイッチ８３は、確率や払い出しに関する設定等を変更する際に操作されるスイッチである。
【００５７】
（電源装置基板１３）
電源装置基板１３には、設定変更有効化スイッチ９１、電源スイッチ９２、ホッパ装置９３及び電源装置９４が接続されている。
設定変更有効化スイッチ９１は、設定変更スイッチ８３を用いた設定の変更を可能な状態にする際に操作するスイッチである。すなわち、設定変更有効化スイッチ９１がオンの状態になっているときに限り、設定変更スイッチ８３を用いた設定の変更が可能になる。電源スイッチ９２は、電源装置９４のオン／オフを切り替えるためのスイッチである。ホッパ装置９３は、メダルの貯蔵及び払い出しを行う装置であり、電源装置基板１３を介したメインＣＰＵ５１からの指示に基づいて、予め貯蔵しておいたメダルから所定枚数のメダルをメダル払出口９０に払い出すようになっている。
【００５８】
（メイン制御基板における機能ブロック）
次に、メイン制御基板５０の機能的な構成について説明する。
図３は、メイン制御基板５０の機能的な構成を示す機能ブロック図である。
図３に示すように、本実施形態においては、例えばメインＣＰＵ５１がＲＯＭ５２内に記録されるプログラムを実行することにより、以下の制御部１０１、役抽選部１０３、リール制御部１０６、入賞判定部１０７、遊技状態制御部１０８及び払出制御部１０９が機能的に実現される。また、例えばＲＡＭ５３が、以下のフラグ情報記憶部１０５として機能し、例えばＲＯＭ５２に、以下の抽選テーブル１０２のデータが記憶されている。
【００５９】
（役抽選部１０３）
役抽選部１０３は、役（特別役、小役、リプレイ等）の抽選を行う機能ブロックである。役抽選部１０３は、遊技毎に、内部で乱数を発生させた後に一の乱数を取得し、ＲＯＭ５２に記憶されている抽選テーブル１０２を参照し、取得した乱数が属する領域に基づいて、役の当選の有無及び当選役を判定するようになっている。
【００６０】
例えば、役抽選部１０３は、スタートスイッチ４１が操作された場合に抽選を行い、この「遊技」が「当選」であるか「ハズレ」であるか及び「当選」である場合の「役」を決定する。すなわち、役抽選部１０３は、スタートスイッチ４１の押下があった場合に、所定の範囲の乱数（例えば、１０進法で０〜６５５３５）を発生させ、所定の条件が満たされたときに一の乱数値を取得する。抽選テーブル１０２には、役抽選部１０３が取得可能な乱数値に対して、特別役当選領域、小役当選領域、リプレイ当選領域、及び非当選（ハズレ）領域等が、所定の割合で設定されている。
【００６１】
さらに役抽選部１０３は、リール３１Ｌ、３１Ｃ、及び３１Ｒは、ストップスイッチ４２Ｌ，４２Ｃ，及び４２Ｒのそれぞれが押下された後に、「当選」していた場合にはその当選の役を表す図柄の並びとなるように停止制御され、当選役と同じ役に入賞させる。また、抽選の結果が「ハズレ」（非当選）ていた場合には図柄の並びがいずれかの役を表さないように停止制御される。いずれの場合でも、ストップスイッチ４２Ｌ，４２Ｃ，及び４２Ｒの押下タイミングが前後しても、停止図柄が変わることはない。
【００６２】
なお、役抽選部１０３が実施する抽選は、一回の遊技に対して一回の抽選を実施して当選役を決定してもよいが、複数回の抽選を実施するように構成してもよい。
また、スタートスイッチ４１の押下やストップスイッチ４２Ｌ、４２Ｃ、及び４２Ｒの押下タイミングで抽選を実施して抽選結果を定めるという役抽選部１０３主導の構成にする他、特別な引き込み動作をせずにリール群３１を停止させ、結果的にリール３１Ｌ、３１Ｃ、及び３１Ｒが停止した位置を入賞判定部１０７が検出して入賞の有無や、入賞役を判定するように構成してもよい。この場合、抽選や当選役という概念は無く、役抽選部１０３は存在しなくてもよい。また、遊技の種類に応じて、役抽選部１０３主導か否かを、つまり抽選をするか、リールによる入賞判定をするかを切り替えてもよい。
【００６３】
（制御部１０１）
制御部１０１は、役抽選部１０３や、後述のリール制御部１０６及び入賞判定部１０７等の動作タイミングを制御する中心的機能ブロックである。
例えば、制御部１０１は、スタートスイッチ４１が操作されたことを条件として、役抽選部１０３に役の抽選を行わせると共に、リール制御部１０６にリール群３１の回転を開始させ、また、ストップスイッチ群４２が操作されたことを条件として、リール制御部１０６にリール群３１の停止制御を行わせ、さらに、リール群３１が停止したことを条件として、入賞判定部１０７に入賞判定を行わせるものである。
なお、制御部１０１の動作はこれらに限定されるものではなく、メイン制御基板５０に必要とされる制御一般を司るものである。
【００６４】
（フラグ情報記憶部１０５）
フラグ情報記憶部１０５は、役抽選部１０３の抽選結果によって何らかの役に対するフラグがオンされた場合に、当選した役の種類及びそのフラグがオンになったことを記憶可能に構成されている。
【００６５】
（リール制御部１０６）
リール制御部１０６は、制御部１０１からの指示に基づいて、リール群３１（リール３１Ｌ、３１Ｃ及び３１Ｒ）の回転及び停止の制御を行う機能ブロックである。
より詳細には、リール制御部１０６は、遊技状態（例えば、通常遊技状態、特別遊技状態等）、役抽選部１０３による抽選の結果、及びストップスイッチ群４２（ストップスイッチ４２Ｌ、４２Ｃ及び４２Ｒ）が操作されたタイミング等に基づいて、リール３１Ｌ、３１Ｃ及び３１Ｒの停止位置を決定すると共に、ステッピングモータの駆動を制御して、その決定した位置でリール３１Ｌ、３１Ｃ及び３１Ｒの回転を停止させるようになっている。
【００６６】
例えば、役抽選部１０３による抽選の結果「ハズレ」となり、いずれの役にも当選していないときは、有効になっている有効ライン上にどの役の図柄の組合せも停止しないように、各リール３１Ｌ、３１Ｃ及び３１Ｒの停止位置を定め、定められた位置で各リールを停止させる。一方、何らかの役に「当選」している場合には、有効になっている有効ライン上に当選した役の図柄の組合せが停止するように図柄の組合せを定め、その図柄の組合せがその時に有効になっている有効ラインに表れるように各リール３１Ｌ、３１Ｃ及び３１Ｒの停止位置を定め、定められた位置で各リールを停止させる。
【００６７】
特に、特別役に「当選」している場合には、有効になっている有効ライン上に特別役の図柄の組合せが停止するように、リール３１Ｌ、３１Ｃ及び３１Ｒの停止制御の範囲内（例えば、４図柄以内）でできる限り特別役に係る図柄が揃うような引き込み制御を行う。但し、特別役が「当選」している場合であっても、小役やリプレイに「当選」した場合には、有効化されている有効ライン上に特別役の図柄の組合せが停止しないように、リール３１Ｌ、３１Ｃ及び３１Ｒの停止位置を定め、停止制御をする。
なお、このようなリール３１Ｌ、３１Ｃ及び３１Ｒを停止させる際の制御は、リール制御用のテーブルを用いて行ってもよい。
【００６８】
（入賞判定部１０７）
入賞判定部１０７は、最終的な入賞状態を判定するための機能ブロックである。
入賞判定部１０７は、有効ライン群２２のうち、有効になっている有効ラインのいずれかに役の図柄の組合せが並んでいるか否かを判定し、並んでいるものがあれば当遊技でその役に入賞したと判定するものである。役の抽選は、役抽選部１０３によって予め決定されてはいるが、機械的なリールを用いる場合などにはリールが予定どおりに停止できない場合がるため、最終的に停止したリールの位置を検出しなければならないからである。
【００６９】
入賞判定部１０７は、例えばステッピングモータの停止時の角度やステップ数等を検知することにより、有効ラインに位置する図柄を判定し、これに基づいて、役の入賞の有無を判定する。
【００７０】
なお、役抽選部１０３によって予め役を定めて、それに併せてリール３１Ｌ、３１Ｃ及び３１Ｒを停止させる代わりに、引き込み可能な位置に各リールを次々停止させ、最終的に停止した実際のリール３１Ｌ、３１Ｃ及び３１Ｒの位置を検出して、入賞判定部１０７が図柄の組合せを判定し、役を決定するように構成してもよい。
【００７１】
（遊技状態制御部１０８）
遊技状態制御部１０８は、入賞判定部１０７による判定の結果、特別役に入賞していた場合に、次遊技から所定の終了条件が満たされるまでの間、特別遊技の制御を行うための機能ブロックである。
【００７２】
例えば、遊技状態制御部１０８は、特別遊技中における役抽選部１０３の抽選結果に応じて、リール制御部１０６に特別遊技用のリール制御を行わせたり、サブ制御基板６０に特別遊技用の演出を行わせたりする。
【００７３】
（払出制御部１０９）
払出制御部１０９は、入賞判定部１０７による判定の結果、入賞している役に応じたメダルの払い出しをホッパ装置９３に行わせるための機能ブロックである。
【００７４】
（サブ制御基板における機能ブロック）
次に、サブ制御基板６０の機能的な構成について説明する。
図４は、サブ制御基板６０の機能的な構成を示す機能ブロック図である。
演出パターン選択部２０１は、サブＣＰＵ６１がＲＯＭ６２内に記録されたコンピュータに読み取り可能なプログラムを実行することにより機能的に実現されるものである。また、サブＣＰＵ６１がＲＯＭ６２内に記録されたコンピュータに読み取り可能なプログラムを実行することにより、画像制御プロセッサ６４を制御しながら演出制御部２０２が機能的に実現される。
【００７５】
このサブ制御基板６０によって実施される演出は、演出表示装置４０によって表示窓２１の周囲の画像表示領域に表示される画像による演出、スピーカ７１から発音される音による演出である。これらの演出は、メイン制御基板５０における動作と異なり、抽選など、遊技自体の方向性を変化させるものではないが、画像と音との演出により、遊技者に刺激を与え、入賞への期待感を高めたり単調さを解消したりする重要な役割を担っている。
【００７６】
（演出パターン選択部２０１）
演出パターン選択部２０１は、遊技状態に応じて演出のパターンを選択する機能ブロックである。
具体的には、演出パターン選択部２０１は、メイン制御基板５０の役抽選部１０３からの信号を受けて、当選した役等に応じた演出パターンを選択したり、メイン制御基板５０の入賞判定部１０７及び特別役遊技制御部１０８からの信号を受けて、入賞役や遊技状態に応じた演出パターンを選択したりする。
【００７７】
ここで演出パターンは、スタートスイッチ４１が押下されたかいずれのストップスイッチ４２が押下されたか、いずれのリール３１Ｌ、３１Ｃ、及び３１Ｒが停止したかといった遊技の進行状態や、抽選の結果、決定した役の種類、通常遊技か特別遊技かといった遊技状態に応じて選択されるものである。
【００７８】
（演出制御部２０２）
演出制御部２０２は、演出パターン選択部２０１によって選択された演出パターンに基づく演出を制御する機能ブロックである。
演出制御部２０２は、選択された演出パターンに対して画像を表示させるための立体画像データを作成し、それを二次元画像データに変換して演出表示装置４０に供給して、画像表示領域上に画像を表示させるように動作する。また、演出制御部２０２は、選択された演出パターンに対して音響を音源回路６７に発生させるための制御を実施する。
【００７９】
（音源回路６７）
音源回路６７は、所定のチャネル数、例えば８つの音源チャネルの発音回路を備えており、音源チャネル数分のフレーズの同時再生が可能になっている。音源回路６７は、演出制御部２０２から出力される演出要求コマンドによって制御される。音源回路６７は、演出制御部２０２からから送信された演出要求コマンドに対応させて、対応する音源チャネルの音源データを図示しないサウンドＲＯＭから読み出して合成し、右チャネル、左チャネル別に発生させる。そしてＤ／Ａ変換してアナログ音響信号として出力する。アンプ６８は、この左右のチャネルそれぞれのアナログ音響信号を増幅し、右スピーカ７１Ｒ・左スピーカ７１Ｒに、ステレオ音響を送出させる。
【００８０】
（演出制御部の詳細な機能ブロック）
次に、演出制御部２０２の具体的な構成について説明する。
本実施形態の演出制御部２０２は、演出パターンの一環として、光演出パターンを適用可能に構成されている。
【００８１】
図５に、演出制御部２０２を機能的な側面から区分けした機能ブロックを示す。
図５に示すように、演出制御部２０２は、機能ブロックとして、画像制御部３０１、音制御部３０２、オブジェクトデータ記憶部３０３１、テクスチャデータ記憶部３０３２、光演出パターン記憶部３０３３、画像データ生成部３０４、画像データ記憶部３０５、及び表示制御部３０６を備えている。画像データ生成部３０４は、頂点属性設定手段３０４１、オブジェクト画像生成手段３０４２、頂点明度演算手段３０４３、光演出パターン配置手段３０４４、及び合成手段３０４５を備えている。
【００８２】
なお、上記構成のうち、画像制御部３０１及び音制御部３０２は、ＲＯＭ６２に格納されたプログラムをサブＣＰＵ６１が実行することにより機能的に実現される。オブジェクトデータ記憶部３０３１、テクスチャデータ記憶部３０３２、及び光演出パターン記憶部３０３３は、画像データＲＯＭ６５が相当している。画像データ記憶部３０５のうち、頂点属性記憶部３０５１はＲＡＭ６３が相当し、オブジェクト画像記憶レイヤ３０５２，光演出パターン記憶レイヤ３０５３、及び出力画像記憶レイヤ３０５４は、ビデオＲＡＭ６６が相当している。画像データ生成部３０４の各構成及び表示制御部３０６は、本発明の画像生成プログラムを実行するサブＣＰＵ６１、及びサブＣＰＵ６１の制御に基づいて動作する画像制御プロセッサ６４によって機能的に実現されている。
【００８３】
（画像制御部３０１）
画像制御部３０１は、演出パターン選択部２０１によって選択された演出パターンに応じて、画像データ生成部３０４に対して各種演出を指示可能に構成されている。また、画像制御部３０１は、演出パターン選択部２０１から指定された、仮想三次元空間を二次元画像に展開するための視点（カメラ）の位置等を、描画タイミングごとに連続的に指示していくように構成されている。画像制御部３０１により、演出パターンに応じた画像上のストーリーが決定され、表示されるオブジェクトが決定され、オブジェクトの動きが決定されるようになっている。
【００８４】
なお、「描画タイミング」には限定は無いが、本実施形態では、フレーム期間（同期信号）に対応して定められるものとする。
【００８５】
（音制御部３０２）
音制御部３０２は、演出パターン選択部２０１によって選択された演出パターンに応じた音信号を生成し発生するように音源回路６７を制御するように構成されている。この音制御部３０２において制御される音は、画像制御部３０１の制御によって表示される画像の進行と密接な関連性を有するように、画像制御部３０１との間で時間的な連携がとられている。
【００８６】
（オブジェクトデータ記憶部３０３１）
オブジェクトデータ記憶部３０３１は、仮想三次元空間において表示対象とさせる各種オブジェクトの形状定義情報であるオブジェクトデータが記憶されている。オブジェクトの中には、本発明の光演出パターンを適用するオブジェクト（本実施形態では、「ミラーボール」）も含まれているものとする。
【００８７】
一つひとつのオブジェクトデータは、オブジェクトごとに予め設定された基準座標を原点として、オブジェクトの外形を形作る多角形であるポリゴンの頂点座標（相対位置、向き、大きさが定義される）を規定しているデータである。各ポリゴンを基準座標からの相対位置に配置していけばオブジェクトの外形が規定される。このオブジェクトはそれぞれ自己完結のユーザ座標系（ボディ座標系）において各ポリゴンの相対位置（向き、大きさ）が三次元的に定義されることになる。
【００８８】
本実施形態において、本発明の光演出パターンを適用するか否かは、頂点単位で設定できるように構成されているが、特に、オブジェクトが「ミラーボール」である場合、そのオブジェクトを構成する全てのポリゴン、ポリゴンを定義する全ての頂点が、光演出の適用対象として設定されるものとする。
【００８９】
図９に、本実施形態で光演出パターンを適用するオブジェクトであるミラーボールオブジェクト４００の外観図を示す。図９に示すように、ミラーボールオブジェクト４００は、多数のポリゴン４０２を球面状となるように並べて構成されている。本実施形態では各ポリゴン４０２の頂点に光演出パターンが適用される。
【００９０】
図１０に、ミラーボールオブジェクト４００を構成するポリゴン４０２の頂点座標設定の外観図を示す。図１０に示すように、ポリゴン４０２は、各頂点Ｖ１〜Ｖ４の空間座標（Ｘ，Ｙ，Ｚ）を指定することで、空間位置および形状が規定されるようになっている。各ポリゴン４０２は、実際のミラーボールに似せて、金属の質感を有するテクスチャがマッピングされており、そのサーフェスにおける反射率は高く設定されている。ミラーボールオブジェクト４００は、回転軸４０４の周りを回転するように制御されるものである。各ポリゴン４０２の頂点座標は、図示しない基準座標からの相対座標が規定されており、それら頂点座標に正規変換演算を施すことで、ミラーボールオブジェクト４００を正規座標系（ワールド座標系）で定義された仮想三次元空間に配置することができるようになっている。
【００９１】
（テクスチャデータ記憶部３０３２）
テクスチャデータ記憶部３０３２には、表示対象となるオブジェクトに対してマッピング（展開、貼り付け）されるテクスチャを定義したテクスチャデータが記憶されている。
テクスチャとは、頂点座標の集合であるオブジェクトやポリゴンの表面にマッピングされる模様・質感・色彩に関するデータである。テクスチャデータは、模様等を表すための所定の解像度で作成された画像データであり、例えばビットマップデータである。テクスチャを所定のポリゴンに貼り付けるためには、テクスチャデータに対して、所定の画像変換、例えばアフィン変換を施して、テクスチャをポリゴンの形状に展開（伸張・縮小・変形）するマッピング処理をする。
【００９２】
（光演出パターン記憶部３０３３）
光演出パターン記憶部３０３３には、本発明の光演出のための光演出パターンが記憶されている。
光演出パターンとは、光の煌めきを表現するために用いられる高輝度光のイメージパターンであり、本実施形態ではクロスパターン形状を備えている。クロスパターンは、実際のスチールカメラやビデオカメラに取り付けられるクロスパターン用の光学フィルタによって画像に付与される十字架形状の光の筋である。本実施形態の光演出パターンは、この光学フィルタ等によって画像に付与されるクロスパターンを模したものとなっている。
【００９３】
図１３Ａ〜１３Ｃに、光演出パターン記憶部３０３３に記憶される光演出パターンの画像例を示す。図１３Ａは、標準的なクロスパターン形状の光演出パターン５００ａであり、胴体５０４に４５度の角度で四本の腕５０２が配置されている。光演出パターン５００ａは、幾何学的重心Ｖｃの座標（Ｘｃ，Ｙｃ，Ｚｃ）を指定することで仮想三次元空間の任意の位置に配置することが可能である。
【００９４】
図１３Ｂに示す光演出パターン５００ｂは、図１３Ａの光演出パターン５００ａの変形であり、腕５０２の角度を４５度傾けて、縦十字のような形状となっているものである。また、図１３Ｃに示す光演出パターン５００ｃも、図１３Ａの光演出パターン５００ａの変形に係り、４５度に傾いた腕５０２の他に、縦十字に小さな腕５０６が設けられている。いずれも幾何学的重心Ｖｃを指定することで、仮想三次元空間における配置を定めることができる。
このように光演出パターンとしては、光の輝きや煌めきの雰囲気を伝えることができるパターンであればよく、上記画像例に限定されずに適用することが可能である。
【００９５】
（画像データ記憶部３０５）
画像データ記憶部３０５のうち、頂点属性記憶部３０５１はオブジェクトを構成する各ポリゴンの頂点ごとに属性情報を記憶するものである。
【００９６】
頂点の属性情報は、ＲＡＭ６２に記憶可能な情報量であるが、無論、ビデオＲＡＭ６６に記憶させるようにしてもよい。オブジェクト画像記憶レイヤ３０５２、光演出パターン記憶レイヤ３０５３、及び出力画像記憶レイヤ３０５４は、各々がフレーム画像データを格納可能な記憶容量を備えており、演出表示装置４０の表示領域を構成する物理空間に対応させた物理アドレスに画素データを格納するように構成されている。
【００９７】
オブジェクト画像記憶レイヤ３０５２は、各オブジェクトを二次元展開した後のオブジェクト画像（情報）を記憶している。光演出パターン記憶レイヤ３０５３は、光演出パターンを物理空間に配置したものである。この光演出パターンのみが配置された画像（情報）となっている。出力画像記憶レイヤ３０５４は、光演出パターンが合成された後のオブジェクト画像（情報）を記憶するものであり、必要に応じて背景画像（情報）と合成された画像（情報）が記憶されている。
【００９８】
（頂点属性設定手段３０４１）
頂点属性設定手段３０４１は、オブジェクトを構成する各ポリゴンの頂点の各々についての頂点属性を設定する機能ブロックである。
【００９９】
頂点属性としては各頂点における光源による色情報を含ませることが可能である。色情報は、例えば、赤色（Ｒ）、緑色（Ｇ）、青色（Ｂ）の三原色の成分で頂点ごとの色（光）を表すものとすれば、Ｌ＝＜Ｌｒ，Ｌｇ，Ｌｂ＞というベクトル表現がされる。ただし、色情報の代わりに、仮想三次元空間における光源情報を含めて演算される明度相対値を、頂点ごとの属性情報として直接的に記憶するようにしてもよい。
【０１００】
あるサーフェス上の一点における色は、サーフェスを照らす全ての光源からの寄与の和で表される。複数の光源による色成分の和がその点における色となる。ポリゴンのサーフェスにおける色は、多角形の各頂点における光の色で線形補間することで定められる。サーフェスにテクスチャがマッピングされている場合には、テクスチャの色を頂点の光の色で変調（モジュレーション）することでサーフェスの色が定められる。
【０１０１】
頂点属性設定手段３０４１は、仮想三次元空間に設定された光源からの光（色）情報に基づいて、ポリゴンの各頂点の色を表すベクトルＣを求める。複数の光源が存在する場合には、各々の光源による光（色）情報の和が、その頂点における色を定める情報であり、求めるべき属性情報である。
【０１０２】
図１１に、一つのポリゴン４０２について、各頂点Ｖ１〜Ｖ４に頂点属性が定められた例を示す。各頂点Ｖ１〜Ｖ４は座標（Ｘ，Ｙ，Ｚ）で定められているが、ポリゴン４０２のサーフェスにおける色は、各頂点における頂点属性のうち光（色）情報Ｌ１〜Ｌ４を線形的に補間することで定められている。各頂点の光（色）情報Ｌは、例えば各頂点における合成された光（色）のベクトルから演算されるスカラー量とすることができる。ポリゴン４０２には、金属の質感を表すテクスチャがマッピングされているので、このテクスチャの色情報と光情報Ｌとの乗算演算をすることで、サーフェスのピクセル情報が定められる。
【０１０３】
図１２を参照しながら、ポリゴン４０２の一つの頂点Ｖ１に注目して、光（色）情報の設定を説明する。
本発明は、一般的な３Ｄグラフィックスシステムのためのシェーディング技法を適用して、光（色）情報を演算することが可能である。図１２に示すように、本実施形態では、環境光情報Ｌａ、平行光源情報Ｌｐ、点光源情報Ｌｓを考慮する。ミラーボールの演出である本実施形態では、点光源Ｓのみが作用するものとしてモデルを単純化してもよい。
【０１０４】
環境光を考慮する場合には、一様に環境光が存在するものとして、頂点Ｖ１における光（色）情報に環境光情報Ｌａを加算する。平行光源を考慮する場合には、無限遠方から単一方向に光が放射されているものとして、頂点Ｖ１における光（色）情報に平行光源情報Ｌｐを加算する。点光源Ｓを考慮する場合には、仮想三次元空間の１点から光が放射されているものと仮定する。そして、光の強度が逆２乗法則に従って距離とともに減衰するという前提の元、点光源Ｓの光の色情報に対し、点光源Ｓから頂点Ｖ１までの距離に応じた減衰係数を勘案して、頂点Ｖ１における光（色）情報Ｌｓ１を演算する。
なお、これらの光（色）情報の演算は、公知のグラフィックライブラリを利用することで比較的容易に結果を得ることが可能である。また、光（色）情報は、一律に各ポリゴンにおける法線Ｎ方向のベクトル成分またはスカラー値として演算してもよい。
【０１０５】
（オブジェクト画像生成手段３０４２）
オブジェクト画像生成手段３０４２は、仮想三次元空間に配置され、表示されるオブジェクトについてのオブジェクト画像（情報）を生成するための記憶ブロックである。
【０１０６】
具体的には、今回の描画タイミングで表示される１以上のオブジェクト、及びそれらの仮想三次元空間内における配置は、画像制御部３０１によって指定される。一つひとつのオブジェクトは、多角形であるポリゴンの集合体として表現される。個々のポリゴンは頂点座標が定まれば定義できるので、頂点座標の集合体であるポリゴンデータによって定義される。一つのオブジェクトは、オブジェクトを構成するポリゴンの配置が定まれば定義できるので、オブジェクトごとに設定された基準座標（ボディ座標系）に対する相対位置が規定されたポリゴンデータの集合体であるオブジェクトデータによって定義される。オブジェクトデータは、オブジェクトごとに設定されたボディ座標系で定義されているため、オブジェクトを仮想三次元空間に配置するための座標変換が必要である。オブジェクト画像生成手段３０４２は、画像制御部３０１により指定された今回の描画タイミングにおける仮想三次元空間内における配置となるよう、ボディ座標系で定義されたオブジェクトデータに正規変換演算処理を実行し、正規座標系（ワールド座標系）で定義された仮想三次元空間におけるオブジェクトの配置を定める。その際、オブジェクトの向きや大きさも座標変換処理により定められる。
【０１０７】
またオブジェクト画像生成手段３０４２は、テクスチャデータ記憶部３０３２から、オブジェクトのサーフェスに展開するテクスチャのためのテクスチャデータを読み出す。そして、各々のサーフェスに、オブジェクトを形成する各ポリゴンの表面にそれぞれ対応するテクスチャをマッピングする。各テクスチャデータは、所定の単位面積のテクスチャ情報となっている。オブジェクト画像生成手段３０４２は、選択されたテクスチャデータに対して、所定の画像変換、例えばアフィン変換を施し、各オブジェクトの表面にテクスチャをマッピングする。
次いで、オブジェクト画像生成手段３０４２は、当該演出パターンのために設定されている視点を基準として透視演算処理を実施する。具体的に、オブジェクト画像生成手段３０４２は、画像制御部３０１から指定された視点情報に基づいて、ワールド座標系で定義されたオブジェクトに対し、透視座標系に変換するための透視変換演算を実施する。この透視変換処理は、オブジェクトごとに実施される。オブジェクト画像生成手段３０４２は、二次元の透視画像であるオブジェクト画像（情報）を生成し、画像データ記憶部３０５のオブジェクト画像記憶レイヤ３０５３に記憶する。
【０１０８】
（頂点明度演算手段３０４３）
頂点明度演算手段３０４３は、オブジェクトを構成するポリゴンの各頂点に設定された頂点属性に基づいて明度相対値を演算する機能ブロックである。
【０１０９】
ポリゴンの頂点における明度相対値は、各頂点に設定された頂点属性のうち、光源からの光（色）情報に基づいて定められる。頂点明度演算手段３０４３は、各頂点に対して演算された光（色）情報に基づいて、視点Ｃに向かう成分から、頂点における明度相対値を演算する。
【０１１０】
点光源のみを考慮した場合、図１２に示すように、ポリゴン４０２について、頂点Ｖ１から視点へ向かうベクトルＣ１、点光源Ｓへ向かうベクトルＬｓ１を設定した場合、この頂点の明るさは、点光源Ｓからの光の反射ベクトルＲ１と視点へのベクトルＣ１との角度が小さくなるほど大きくなる。視点Ｃの方向への光の強さ（明るさ）は、例えば反射ベクトルＲ１と視点へのベクトルＣ１との内積を演算し、そのスカラー量を演算することによって得られる。
【０１１１】
そこで、頂点明度演算手段３０４３は、各頂点について設定された頂点属性に含まれる光（色）情報を参照し、視点Ｃへ向かう成分を演算し、視点Ｃから見た場合の明るさ、すなわち明度相対値を定めていく。明度相対値は、明るさに対応したスカラー量（数値）であればよく、厳密にピクセルの輝度等を表す数値である必要はない。例えば、全反射時の最大の明るさを１とした場合の相対的な明るさの指標として、０から１までの間の任意の値をとるものとすることができる。
【０１１２】
（光演出パターン配置手段３０４４）
光演出パターン配置手段３０４４は、演算された明度相対値に基づいて対応する頂点の位置に光演出パターンを配置するための機能ブロックである。
具体的には、光演出パターン配置手段３０４４は、頂点明度演算手段３０４３により演算された明度相対値を参照して、その明度相対値Ｌが基準明度Ｌｔｈ以上である場合に、その明度相対値が演算されていた位置に光演出パターンを付与する。光演出パターンは、表示領域に対応した物理空間に配置されるものとする。ある頂点の明度相対値Ｌが基準明度Ｌｔｈ以上であった場合、光演出パターン配置手段３０４４は、ミラーボールオブジェクト４００が二次元展開された後の物理空間における、頂点対応座標を求め、その位置に光演出パターンが描画されたフレーム画像を生成する。複数の頂点において明度相対値が基準明度以上である場合には、それぞれの頂点について、光演出パターンを生成する。生成された光演出パターンのみを含むフレーム画像は、光演出パターン記憶レイヤ３０５３に格納される。
【０１１３】
なお、光演出パターンを表示領域に対応した物理空間に配置する代わりに、二次元展開前の仮想三次元空間においてミラーボールオブジェクト４００の表面に直接的に配置してから二次元展開するように構成してもよい。ただしこの場合、光演出パターンの表面が常に視点Ｃの方向を向くように配置を制御する必要がある。
【０１１４】
光演出パターンとしては、図１３Ａ〜１３Ｃに示したようなものを少なくとも一種類適用可能である。ここでは、図１４Ａ〜１４Ｆに示すように、明度相対値Ｌの大きさに応じて、適用する光演出パターンの大きさと種類を随時変更していくように制御する。
【０１１５】
例えば、頂点Ｖ０における明度相対値Ｌ０が基準明度Ｌｔｈより小さい場合、図１４Ａに示すように、頂点Ｖ０には、光演出パターンは適用されない。頂点Ｖ０における明度相対値Ｌ０が基準明度Ｌｔｈ以上であると、図１４Ｂに示すように、重心座標が頂点Ｖ０の物理空間における対応座標に一致するようにして光演出パターン５００Ｌが付与される。頂点Ｖ０における明度相対値Ｌ０が明度ＬＬ以上となると、図１４Ｃに示すように、光演出パターン５００Ｌが所定の倍率だけ拡大されて頂点相対座標に付与される。明度相対値Ｌ０が明度ＬＭを超えると、図１４Ｄに示すように新たな光演出パターン５００Ｍが適用され、明度ＬＨ以上になると、図１４Ｅに示すように、拡大された光演出パターン５００Ｍが適用される。明度相対値Ｌ０が最大値Ｌｍａｘに達すると、図１４Ｆに示すように異なる光演出パターン５００Ｈが付与される。これらの関係を示すと表１のようになる。
【表１】
0004761372.tif 000002
ただし、上記割付は単なる例示であり、種々に変形して適用することが可能である。例えば、光演出パターンの倍率を固定にして、その種類のみを変更していってもよい。逆に、光演出パターンを一種類のみとして、倍率のみを変更していってもよい。また、光演出パターンの倍率を固定にして段階的に変化させる代わりに、倍率を明度相対値の大きさに対応させて連続的に変化させてもよい。
【０１１６】
（合成手段３０４５）
合成手段３０４５は、光演出パターンが記憶された光演出パターン画像とオブジェクト画像生成手段３０４２によって生成されたオブジェクト画像とを合成する機能ブロックである。
具体的には、合成手段３０４５は、オブジェクト記憶レイヤ３０５２からオブジェクト画像（情報）を読み取り、光演出パターン画像記憶レイヤ３０５３から光演出パターン画像（情報）を読み取り、また、両画像（情報）の対応する画素ごとにビット演算を実施する。ビット演算は、ビットごとの合成処理でよい。その際、光演出パターン画像（情報）が上書きされるように合成する。つまり光演出パターン画像に係る画素データが存在する場合（光演出パターンが存在する場合であって、その画素を特定する物理アドレスの数値が「ゼロ」に相当していない場合）には、光演出パターン画像の画素データを出力する。光演出パターン画像に係る画素データが存在しない場合（その画素を特定する物理アドレスの数値が「ゼロ」に相当する場合）、オブジェクト画像に係る画素データを出力する。また、双方の画素データが存在しない場合には、その画素データを存在しないもの（数値ゼロ）として出力する。合成後のフレーム画像は、表示画像（情報）６００として出力画像記憶レイヤ３０５４に格納される。
【０１１７】
なお、上記処理は、光演出パターンの画像をオブジェクト画像に上書きする処理であったが、両画像に所定の合成演算を適用して合成してもよい。例えば、光演出パターン画像の透明度を上げたり、所定の補間演算を実施したりして、光演出パターンの背後からオブジェクト画像が透視可能に合成してもよい。このように光演出パターンを背景と混合するような合成演算とすることにより、柔らかな光の煌めきを表現可能である。
【０１１８】
（表示制御部３０６）
表示制御部３０６は、画像データ記憶部３０５の出力画像データ記憶レイヤ３０５４に記憶されている表示画像６００（フレーム画像データ）を描画タイミングごとに読み出して演出表示装置４０に転送する。この転送されたフレーム画像データに基づいて演出表示装置４０は、表示領域にフレーム画像データに対応する画像を表示する。
【０１１９】
（メイン制御基板における動作）
図６は、メイン制御基板５０による制御を示すフローチャートである。
図６において、遊技者によってメダルが投入され、スタートスイッチ４１が操作されると、制御部１０１は、スタートスイッチ４１がオンになったことを検知し、役抽選部１０３は役の抽選処理を行う（ステップＳ１０１／ＹＥＳ、ステップＳ１０２）。一方、遊技者によりスタートスイッチ４１が操作されず、スタートスイッチ４１がオンとなったことを検知できなかった場合は、制御部１０１は、スタートスイッチ４１がオンとなったことを検知するまでステップＳ１０１の処理を繰り返し実行する。
【０１２０】
ステップＳ１０２の役抽選処理においては、役抽選部１０３は、乱数を取得し、取得した乱数と抽選テーブルとを照らし合わせて役の抽選処理を行う。抽選の結果、何らかの役の当選があった場合、フラグ情報記憶部１０５内において当役のフラグをオンにさせる。役抽選部１０３による抽選結果は、当選役情報としてＩ／Ｆ回路５４を介してサブ制御基板６０に送信される（ステップＳ１０３）。
【０１２１】
リール制御部１０６は、ストップスイッチ群４２の何れか１個が操作されたか否かを判断する（ステップＳ１０４）。何れか１個のストップスイッチが操作されると（ステップＳ１０４／ＹＥＳ）、当選役が入賞可能となるようなリール制御を行って、操作されたストップスイッチに対応するリールの回転を停止させる（ステップＳ１０５）。
【０１２２】
なお、ステップＳ１０２の役抽選処理において何れの役にも当選していなかった場合は（「ハズレ」に当選した場合）、リール制御部１０６は、ステップＳ１０５において何れの役にも当選しなかった場合に対応するリール制御を行う。
【０１２３】
続いて、リール制御部１０６は、全てのストップスイッチが操作され、全リールが停止したか否かを判断する（ステップＳ１０６）。全リールが未だ停止していない場合には（ステップＳ１０６／ＮＯ）、ステップＳ１０４におけるストップスイッチ操作の有無の検出処理からの処理を繰り返す。
【０１２４】
全てのリールが停止すると（ステップＳ１０６／ＹＥＳ）、入賞判定部１０７は、有効化された有効ライン上に並んでいる図柄の組合せに基づいて入賞の有無を判断する（ステップＳ１０７）。この結果、何らかの入賞がある場合には（ステップＳ１０７／ＹＥＳ）、入賞した役に対応する入賞処理が実行される（ステップＳ１０８）。
【０１２５】
入賞役が「特別役」である場合、次の遊技から所定の終了条件が満たされるまでの間「特別遊技」を実行するための移行処理を遊技状態制御部１０８が行う。
一方、ステップＳ１０７において、何も入賞がないと判断された場合には（ステップＳ１０７／ＮＯ）、処理はステップＳ１０１に戻る。
【０１２６】
続いて、遊技状態制御部１０８は、「特別遊技」中において、「特別役」であるビッグボーナスゲーム又はレギュラーボーナスゲームに応じた遊技状態を遊技者に提供するよう、リール制御部１０６に「特別遊技」中のリール制御を行わせたり、サブ制御基板６０に「特別遊技」用の演出を行わせたりする。ビックボーナスゲーム又はレギュラーボーナスゲームの規定回数の遊技を終えると、「通常遊技」に移行する処理を行う。
【０１２７】
入賞役が「特別役」でない場合、フラグ情報記憶部１０５において特別役のフラグがオンの状態で記憶されていれば、フラグ情報記憶部１０５でのそのフラグの記憶状態は次の遊技に持ち越される。
【０１２８】
また、入賞役が「リプレイ」である場合、入賞判定部１０７は、制御部１０１に対して当遊技でのベット（賭数）を次の遊技に持ち越させる。一方、入賞役が「特別役」でも「リプレイ」でもない場合には、払出制御部１０９が入賞役に応じた枚数のメダルの払い出しをホッパ装置９３に行わせる。
【０１２９】
（サブ制御基板における動作）
次に、サブ制御基板６０の動作について説明する。
図７および図８は、サブ制御基板６０による制御を示すフローチャートである。
図７は、各頂点について頂点属性を設定・格納しながらシェーディング処理を実施していくフローチャートに関する。図８は、頂点属性が設定された後に実施される本発明に係る光演出パターンの適用フローチャートに関する。
図７において、まず、演出パターン選択部２０１は、メイン制御基板５０のからの演出パターンを読み取り、演出制御部２０２に転送する（ステップＳ２０１）。次にステップＳ２０２に移行し、演出制御部２０２の画像制御部３０１は、描画タイミングになっているか否かを判定する。まだ描画タイミングでない場合（ＮＯ）、処理を終了する。
【０１３０】
ここで、描画タイミングは、次回のフレーム画像データの更新処理に間に合う所定のタイミングであり、システムによって適宜定められるものである。例えば、水平同期信号の入力を契機に本実施形態の画像切換処理に移行させることができる。なお、描画タイミングは、フレーム期間ごととする他、１以上のフレーム期間おきに設定してもよい。
【０１３１】
ステップＳ２０２において描画タイミングとなった場合（ＹＥＳ）、画像制御部３０１は、画像データ生成部３０４の頂点属性設定手段３０４１は、ステップＳ２０３においてオブジェクトの各々を特定するためのオブジェクトポインタＯｐをセットし、ステップＳ２０４においてオブジェクトを構成するポリゴンの各々を特定するためのポリゴンポインタＰｐをセットする。また、ステップＳ２０５において、各ポリゴン内で個々の頂点を特定するための頂点ポインタＶｐをセットする。
【０１３２】
次いでステップＳ２０６に移行し、頂点属性設定手段３０４１は、頂点ごとに点光源情報Ｌｓ、環境光情報Ｌａ、平行光線情報Ｌｐを考慮して、頂点ごとに光（色）情報Ｌを確定する。次いでステップＳ２０７に移行し、ポインタ類で特定された頂点、ポリゴン、またはオブジェクトが、本発明の光演出パターンの適用対象となっているか否かを判断する。なお、本実施形態では、ミラーボールオブジェクト４００を構成する全てのポリゴン、ポリゴンの全ての頂点は、光演出適用対象とされているものとする。
【０１３３】
ステップＳ２０７において、その頂点、ポリゴン、またはオブジェクトが光演出適用対象であるなら（ＹＥＳ）、ステップＳ２０８に移行し、頂点属性設定手段３０４１は、その頂点における頂点属性の一つである演出適用フラグをオンにする。一方、ステップＳ２０７において、光演出適用対象ではないなら（ＮＯ）、ステップＳ２０９に移行し、頂点属性設定手段３０４１は、頂点属性として演出適用フラグをオフにする。そしてステップＳ２１０に移行し、頂点属性設定手段３０４１は、演出適用フラグと光（色）情報を含めた頂点属性を記憶する。以上で、一つの頂点に対する頂点属性設定が終了する。
【０１３４】
ステップＳ２１１に移行し、頂点ポインタＶｐが１つ進められ、ステップＳ２１２において頂点の最大数Ｖｍａｘを超えていない限り（ＮＯ）、頂点属性設定手段３０４１は、ステップＳ２０６〜Ｓ２１２を繰り返す。ステップＳ２１２において、頂点ポインタＶｐが頂点の最大数Ｖｍａｘを超えたら（ＹＥＳ）、ステップＳ２１３において頂点属性設定手段３０４１は頂点ポインタＶｐをリセットしてから、ポリゴンポインタＰｐを１つ進める。そしてステップＳ２１４において、ポリゴンポインタＰｐがそのオブジェクトにおけるポリゴンの最大数Ｐｍａｘを超えていない限り（ＮＯ）、ステップＳ２０６〜Ｓ２１４を繰り返す。ステップＳ２１４において、ポリゴンポインタＰｐがポリゴンの最大数Ｐｍａｘを超えたら（ＹＥＳ）、ステップＳ２１５において頂点属性設定手段３０４１はポリゴンポインタＰｐをリセットしてからオブジェクトポインタＯｐを１つ進める。そしてステップＳ２１６に移行し、頂点属性設定手段３０４１はオブジェクトンポインタＯｐがオブジェクトの最大数Ｏｍａｘを超えていない限り（ＮＯ）、ステップＳ２０６〜Ｓ２１６を繰り返す。全てのオブジェクトの設定を終えたら（Ｓ２１６：ＹＥＳ）、処理を終了する。
【０１３５】
図８に、図７の頂点属性設定処理後に実施される光演出パターン適用処理ルーチンを示すフローチャートを示す。
【０１３６】
図８において、まず、ステップＳ３０１において、頂点属性の設定が終了しているか否かが判断される。頂点属性の設定が終了していない場合（ＮＯ）、ステップＳ３１８に移行し、表示制御部３０６は、前回の描画タイミングで出力されたフレーム画像データの表示制御を継続する。ステップＳ３０１において頂点属性の設定が終了している場合（ＹＥＳ）、ステップＳ３０２に移行し、画像データ生成部３０４のオブジェクト画像生成手段３０４２は、オブジェクトデータ記憶部３０３１に記憶されているオブジェクトデータおよびテクスチャデータ記憶部３０３２に記憶されているテクスチャデータを参照して、仮想三次元空間にオブジェクトを配置してから二次元展開し、生成されたオブジェクト画像をオブジェクト画像記憶レイヤ３０５２に記憶する。このとき、各頂点に設定されている頂点属性に含まれる光（色）情報に基づいて、テクスチャに対するシェーディング処理も実行する。
次いで、画像データ生成部３０４は、ステップＳ３０３においてオブジェクトの各々を特定するためのオブジェクトポインタＯｐをセットする。次いで、ステップＳ３０４においてオブジェクトを構成するポリゴンの各々を特定するためのポリゴンポインタＰｐをセットする。また、ステップＳ３０５において、各ポリゴン内で個々の頂点を特定するための頂点ポインタＶｐをセットする。
【０１３７】
次いでステップＳ３０６に移行し、頂点ごとに本発明の光演出を適用するかを示す演出適用フラグがオンされているか否かが判定される。
演出適用フラグがセットされていない場合（ＮＯ）、ステップＳ３１２に移行し、頂点ポインタＶｐが１つ進められる。一方、ステップＳ３０６において、演出適用フラグがセットされていた場合（ＹＥＳ）、ステップＳ３０７に移行し、頂点明度演算手段３０４３は、頂点ごとに設定されている頂点属性に基づき明度相対値を演算する。すなわち、各頂点における光（色）情報と視点Ｃへのベクトル情報から明度相対値を演算する。
【０１３８】
次いでステップＳ３０８において、この明度相対値Ｌが基準明度Ｌｔｈ以上であるか否かが判定され、基準明度Ｌｔｈに達していない場合（ＮＯ）には、ステップＳ３１２に移行し、頂点ポインタＶｐが１つ進められる。一方、ステップＳ３０８において、明度相対値Ｌが基準明度Ｌｔｈ以上であった場合（ＹＥＳ）、ステップＳ３０９に移行し、光演出パターン配置手段３０４４は、所定の光演出パターンを光演出パターン記憶部３０３３から読み取り、表示領域に対応する物理空間における、頂点位置に相当する座標位置に、この光演出パターンの画像を配置する。次いで、ステップＳ３１０に移行し、光演出パターン配置手段３０４４は、明度相対値Ｌが、この光演出パターンを拡大すべき値である場合には、表１に示したような割付に従い、適宜光演出パターンを拡大したり、または、光演出パターンを変更したりする処理を実施する。次いで、ステップＳ３１１に移行し、光演出パターン配置手段３０４４は、光演出パターン記憶部３０５３に光演出パターン画像（情報）を格納する。以上で、一つの頂点に対する光演出パターンの適用処理が終了する。
【０１３９】
次いで、ステップＳ３１２に移行し、頂点ポインタＶｐが１つ進められ、ステップＳ３１３において進められた頂点ポインタＶｐが頂点の最大数Ｖｍａｘを超えていない限り（ＮＯ）、頂点明度演算手段３０４３及び光演出パターン配置手段３０４４は、ステップＳ３０６〜Ｓ３１３を繰り返す。ステップＳ３１３において進められた頂点ポインタＶｐが頂点の最大数Ｖｍａｘを超えていたら（ＹＥＳ）、ステップＳ３１４において、頂点ポインタＶｐがリセットされ、ポリゴンポインタＰｐが１つ進められる。そしてステップＳ３１５において、進められたポリゴンポインタＰｐがそのオブジェクトにおけるポリゴンの最大数Ｐｍａｘを超えていない限り（ＮＯ）、ステップＳ３０６〜Ｓ３１５が繰り返えされる。ステップＳ３１５において、進められたポリゴンポインタＰｐがポリゴンの最大数Ｐｍａｘを超えたら（ＹＥＳ）、ステップＳ３１６において、ポリゴンポインタＰｐがリセットされ、オブジェクトポインタＯｐが１つ進められる。そしてステップＳ３１７に移行し、進められたオブジェクトポインタＯｐがオブジェクトの最大数Ｏｍａｘを超えていない限り（ＮＯ）、ステップＳ３０６〜Ｓ３１７が繰り返えされる。そして、全てのオブジェクトに対する光演出パターンの適用処理を終えたら（Ｓ３１７：ＹＥＳ）、処理を終了する。以上の処理によって、オブジェクトに対する光演出パターンの適用処理が終了する。
【０１４０】
図１５Ａ及び図１５Ｂに、図７及び図８に示されるような処理によってミラーボールオブジェクト４００に光演出パターンを適用した場合の画像表示例を示す。これらの図で適用される光演出パターンは、基準となる大きさの光演出パターン５００Ｌと拡大された光演出パターン５００Ｍの二種類としている。
図１５Ａは、所定の時刻ｔ１における画像表示例であり、図１５Ｂは、時刻ｔ２における画像表示例である。ミラーボールオブジェクト４００を構成するポリゴン４０２の各頂点に設定される頂点属性には、光（色）情報が含められる。上記処理に沿って光（色）情報から明度相対値を検出して、基準明度以上の頂点において光演出パターンが適用されている。明度相対値が基準明度に至らない頂点には光演出パターンは配置されていないが、基準明度以上の頂点には光演出パターンが配置されている。明度相対値が比較的低い頂点に対しては、所定の大きさの光演出パターン５００Ｌが適用され、明度相対値が比較的高い頂点に対しては、拡大された光演出パターン５００Ｍが適用された様子を示している。ミラーボールオブジェクト４００は刻々と回転するように制御されるので、各頂点における光（色）情報、すなわち明度相対値も時刻ごとに変動するので、その頂点に対する光演出パターンの有無や光演出パターンの大きさも、刻一刻と変動する。よって、ミラーボールオブジェクト４００が回転するに従って、光演出パターンによって光の煌めきが表現されるのである。
【０１４１】
（本実施形態１の利点）
本実施形態１では、次のような利点がある。
（１）本実施形態１によれば、ポリゴンの頂点に設定された頂点属性に基づいて明度相対値が演算され、明度相対値に基づいて、光演出パターンをその頂点に付与するか否かが決定されるので、ポリゴン自体が明るいテクスチャとなるか否か、ポリゴンにテクスチャをマッピングするかとは無関係に、その頂点に光演出パターンを表示することが可能である。よって、ポリゴンのサーフェスが光源側に向いていないとか、透明なサーフェスであるとかの条件においても光演出パターンを適用できるので、暗いホールで回転するという設定のミラーボールオブジェクト４００に対して、リアリティ溢れる光の煌めきを表現することが可能となる。
【０１４２】
（２）本実施形態１によれば、明度相対値の大きさに基づき、適用する光演出パターンの態様を変更するので、例えば、頂点で反射する光の大きさに応じてクロスパターンが大きくなる様子をシミュレーション可能となり、さらにリアリティ溢れる光の煌めきを表現可能である。
【０１４３】
（３）本実施形態１によれば、演出適用フラグを設定することにより、頂点、ポリゴン、またはオブジェクトの単位で光演出パターンの適用を許可するか否かを制御可能なので、特定のミラーボールオブジェクトのようなオブジェクトのみ光演出処理を実行し、他のオブジェクトには適用しないといった制御が可能である。このため、光演出処理に係る演算負荷を必要最小限に抑えることが可能である。
【０１４４】
（実施形態２）
本発明の実施形態２は、光演出適用フラグの状態を動的に変動させる画像処理装置を備えた遊技機に関する。
本実施形態２における遊技機の構成、演出制御部２０２の機能ブロック図については、実施形態１と同様である（図５）。ただし、頂点属性設定手段３０４１における処理内容が次のように異なる。
【０１４５】
図１６に、本実施形態２における画像処理方法を説明するフローチャートを示す。このフローチャートは、実施形態１の図７に対応するものである。
実施形態１では、頂点属性設定中のオブジェクトが光演出適用対象であるか否かを一律に設定し、光演出適用対象であるオブジェクトに対しては、そのオブジェクトの全頂点に対し、光（色）情報に基づく光演出処理が実施されていた（図７のフローチャートのステップＳ２０７〜Ｓ２０９）。
【０１４６】
これに対し、本実施形態２では、光演出適用対象であるオブジェクトに対して、光演出適用対象とするか否かを頂点ごとに動的に変化させる。すなわち、ステップＳ２２０において、頂点属性設定手段３０４１は、予め定義されている演出適用フラグ設定チャートを参照する。次いで、ステップＳ２２１において、頂点属性設定手段３０４１は、演出適用フラグ設定チャートの示す状態に適合するように、演出適用フラグのオン／オフを制御する。他の処理については、実施形態１と同じである。
【０１４７】
図１７に、演出適用フラグ設定チャートを例示する。図８に示す光演出処理のフローチャートはそのまま本実施形態においても適用可能である。
図１７に示すように、演出適用フラグ設定チャートには、基準時からの経過フレーム数に応じて、フラグをセットすべきかリセットすべきかが規定されている。このチャートの設定は、任意に設定可能である。光演出を適用するオブジェクトが相対的に移動（回転）していない場合でも、光演出パターンが適用されたり適用されなかったりする煌めきを表現可能なように設定すればよい。
【０１４８】
なお、このような設定チャートに基づく他、ランダムに演出適用フラグの状態を変更可能であればよく、例えば、所定の関数や乱数の発生により演出適用フラグの状態を制御してもよい。
【０１４９】
以上、本実施形態２では、所定のタイミングで演出適用フラグの状態を変更可能に構成したので、オブジェクトの動きが少ない場合でも、光ったり光らなかったりする、光が瞬くような光の表現が可能となる。
【０１５０】
（変形例）
本発明は、上記に限定されることなく種々に変形して実施することが可能である。
例えば、上記実施形態で説明された光演出パターンは、例示に過ぎず、他のパターンを適用することも可能である。実施形態で説明したクロスパターンの他、煙・水蒸気の中で高輝度部分を撮影した場合に得られる光球のようなものも適用可能である。輪郭の明確でない光演出パターンを適用する場合には、背景となる画像との補間演算をすることが好ましいと考えられる。
【０１５１】
また、上記実施形態では、多数のポリゴンの各頂点に光演出処理を適用していたが、一つまたは複数の限定された頂点にのみ本発明を適用してもよい。例えば、「ダイヤモンドリング」などが一つのオブジェクトで構成されている場合に、「ダイヤモンド」を構成するポリゴンの頂点の演出適用フラグをオンに設定すれば、宝石の鋭い反射を表現可能である。
【０１５２】
また、上記実施形態では、遊技機に本発明を適用したが、これに限定されず、この画像処理装置・方法に関するプログラムを実行する可能なコンピュータを備える装置一般に適用することが可能である。例えば、ゲーム装置やシミュレーション装置などに本発明を適用可能である。
【０１５３】
以上、本発明の実施形態について図面を参照して詳述してきたが、具体的な構成は上記の実施形態に限られるものではなく、本発明の要旨を逸脱しない範囲で適宜変更可能である。
【実施例１】
【０１５４】
図１８に、本実施形態の画像処理装置を搭載した遊技機の表示画像例を示す。
図１８に示すように、本実施例の表示領域６００には、本発明に係るミラーボールオブジェクト４００、ステージ６０２、ステージ上で踊るという設定のキャラクタ６０４の各画像が表示されている。この実施例では、ステージ６０２で踊るキャラクタ６０４を照明するため、また、ミラーボールオブジェクト４００をシェーディングするため、一つ以上の点光源が設定されている。そして、点光源からの光情報に基づいて光演出パターン５００Ｌや５００Ｍがミラーボールオブジェクト４００の表面に適用されている。
【０１５５】
このように、本発明を適用することにより、光演出パターンをデザイン設計で配置するような煩雑な過程を経なくても、簡単にミラーボールにおける光の煌めきを表現可能である。
【図面の簡単な説明】
【０１５６】
【図１】本発明の実施形態に係るスロットマシンの正面図
【図２】本発明の実施形態に係るスロットマシンのシステム構成を示すブロック図
【図３】メイン制御基板の機能的な構成を示す機能ブロック図
【図４】サブ制御基板の機能的な構成を示す機能ブロック図
【図５】実施形態１における演出制御部の詳細な機能ブロック図
【図６】メイン制御基板による制御を示すフローチャート
【図７】実施形態１におけるサブ制御基板の頂点属性設定処理を示すフローチャート
【図８】サブ制御基板における光演出処理を示すフローチャート
【図９】実施形態のミラーボールオブジェクトの画像例
【図１０】ポリゴンと各頂点座標との関係図
【図１１】頂点属性（光情報）に基づく補間演算によるシェーディング例
【図１２】頂点属性に影響するベクトルの関係図
【図１３Ａ】光演出パターンの例
【図１３Ｂ】光演出パターンの例（その２）
【図１３Ｃ】光演出パターンの例（その３）
【図１４Ａ】基準明度Ｌｔｈ＞明度相対値Ｌ０の場合の光演出パターン例
【図１４Ｂ】ＬＬ＞Ｌ０≧Ｌｔｈの場合の光演出パターン例
【図１４Ｃ】ＬＭ＞Ｌ０≧ＬＬの場合の光演出パターン例
【図１４Ｄ】ＬＨ＞Ｌ０≧ＬＭの場合の光演出パターン例
【図１４Ｅ】Ｌｍａｘ＞Ｌ０≧ＬＨの場合の光演出パターン例
【図１４Ｆ】Ｌｍａｘ＝Ｌ０の場合の光演出パターン例
【図１５Ａ】時刻ｔ１におけるミラーボールオブジェクト４００の表示例
【図１５Ｂ】時刻ｔ２におけるミラーボールオブジェクト４００の表示例
【図１６】実施形態２におけるサブ制御基板の頂点属性設定処理を示すフローチャート例
【図１７】演出適用フラグ状態チャートの例
【図１８】実施例における表示画面例
【符号の説明】
【０１５７】
１０  スロットマシン
２１  表示窓
３１      リール
３１Ｌ  左リール
３１Ｃ  中リール
３１Ｒ  右リール
４０  演出表示装置
５０  メイン制御基板
５１  メインＣＰＵ
５２、６２  ＲＯＭ
５３、６３  ＲＡＭ
５４、６９  Ｉ／Ｆ回路
６０  サブ制御基板
１０１  制御部
１０２  抽選テーブル
１０３  役抽選部
１０５  フラグ情報記憶部
１０６  リール制御部
１０７  入賞判定部
１０８  遊技状態制御部
２０１  演出パターン選択部
２０２  演出制御部
３０１  画像制御部
３０２  音制御部
３０３１  オブジェクトデータ記憶部
３０３２  テクスチャデータ記憶部
３０３３  光演出パターン記憶部
３０４  画像データ生成部
３０４１  頂点属性設定手段
３０４２  オブジェクト画像生成手段
３０４３  頂点明度演算手段
３０４４  光演出パターン配置手段
３０４５  合成手段
３０５  画像データ記憶部
３０５１  頂点属性記憶部
３０５２  オブジェクト画像記憶レイヤ
３０５３  光演出パターン記憶レイヤ
３０５４  出力画像記憶レイヤ
３０６  表示制御部
【図１】
0004761372.tif 000003
【図２】
0004761372.tif 000004
【図３】
0004761372.tif 000005
【図４】
0004761372.tif 000006
【図５】
0004761372.tif 000007
【図６】
0004761372.tif 000008
【図７】
0004761372.tif 000009
【図８】
0004761372.tif 000010
【図９】
0004761372.tif 000011
【図１０】
0004761372.tif 000012
【図１１】
0004761372.tif 000013
【図１２】
0004761372.tif 000014
【図１３Ａ】
0004761372.tif 000015
【図１３Ｂ】
0004761372.tif 000016
【図１３Ｃ】
0004761372.tif 000017
【図１４Ａ】
0004761372.tif 000018
【図１４Ｂ】
0004761372.tif 000019
【図１４Ｃ】
0004761372.tif 000020
【図１４Ｄ】
0004761372.tif 000021
【図１４Ｅ】
0004761372.tif 000022
【図１４Ｆ】
0004761372.tif 000023
【図１５Ａ】
0004761372.tif 000024
【図１５Ｂ】
0004761372.tif 000025
【図１６】
0004761372.tif 000026
【図１７】
0004761372.tif 000027
【図１８】
0004761372.tif 000028